(57)【要約】【課題】リモコンからのみ呼び出し可能な操作項目があるテレビジョンにおいて、リモコンを紛失した場合においてもユーザの利便性を損ないにくいテレビジョンを提供する。【解決手段】リモコン６０から選択可能な操作項目には、操作パネル２６から選択不可能な操作項目が含まれており、マイコン２２はリモコン６０から受信したリモコンコードを受け付けて、受け付けたリモコンコードを操作パネル２６の操作項目に対して対応付けて半導体メモリ２４に記憶させる。これにより操作パネル２６の操作項目を選択する事により操作パネル２６から半導体メモリ１４に記憶されたリモコンコードを実行可能とする。【選択図】図５
2008182569.tif 000002
【特許請求の範囲】
【請求項１】
映像信号を入力し、当該映像信号に対応する映像を画面に表示する映像表示回路と、
所定のフォーマットのパルスで表現した赤外線信号を受信して対応する電圧信号を生成する赤外線受光回路と、
操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、
操作を受け付ける複数のキーとを備えて、該複数のキーの操作により所定のフォーマットの電圧信号を画質や電源に関わる調整が可能な操作パネルと、
情報を書き換え可能な半導体メモリと、
上記映像信号に重畳するＯＳＤ信号を生成するＯＳＤ回路を有し、上記赤外線受光回路や上記操作パネルから上記電圧信号を入力して対応するキー操作を検知することにより上記リモコンや上記操作パネルから操作入力を受け付け、受け付けた操作入力に対応した操作項目の設定処理を実行するマイコンと
を備えるデジタルテレビジョンにおいて、
上記マイコンは、上記リモコンから上記操作パネルから呼び出し可能な操作項目に対してリモコンコードの登録開始を指示する操作入力を受け付けると、リモコンコードを対応付けて登録することが可能な操作項目の一覧の画面への表示を上記ＯＳＤ回路に行わせ、リモコンコードの登録先としていずれかの操作項目を選択する操作入力を上記リモコンより受け付け、受け付けた操作項目が複数の操作項目の一覧を選択可能に表示するメニューである場合は該メニューを子画面に表示し、リモコンのいずれかのキー操作を検知すると該キー操作に対応するリモコンコードを受け付けて、上記登録先とされた操作項目と受け付けたリモコンコードとを対応付けて上記半導体メモリに記憶させ、上記操作パネルで上記リモコンコードと対応付けられた操作項目を選択することにより、対応付けられたリモコンコードを実行することを特徴とするデジタルテレビジョン。
【請求項２】
所定の操作項目を選択する操作入力を無線信号で受け付ける無線操作入力受付手段と、所定の操作項目を選択する操作入力を有線接続された操作パネルから受け付ける有線操作入力受付手段と、を備え、
受け付けた操作入力に対応する操作項目に対応付けられた処理を実行するデジタルテレビジョンにおいて、
上記無線操作入力受付手段にて選択可能な操作項目には初期状態においては上記有線操作入力受付手段で選択不可能な操作項目が含まれており、
各操作項目の選択時に実行される処理が記憶された記憶媒体と、
上記操作パネルの操作入力で選択可能な所定の操作項目の選択時に実行される処理として、上記無線操作入力受付手段が受け付けた操作入力に対応する操作項目の処理を、上記記憶媒体に記憶させる処理記憶手段を備えることを特徴とするデジタルテレビジョン。
【請求項３】
上記操作項目は所定の階層構造で階層化されており、
上記処理記憶手段は、
上記無線操作入力受付手段が受け付けた操作入力によって選択される操作項目が上記所定の階層構造の末端階層であるか否かを判断する階層判断手段と、
上記階層判断手段が末端階層で無いと判断した時に、選択された操作項目よりも下位の階層の操作項目の一覧を画面に表示させる一覧表示手段と、
を備えており、上記末端階層の操作項目を選択する操作入力を受け付けると該末端階層の操作項目に対応する処理を上記記憶媒体に記憶させることを特徴とする上記請求項２に記載のデジタルテレビジョン。
【発明の詳細な説明】
【技術分野】
【０００１】
本発明は、デジタルテレビジョンに関する。
【背景技術】
【０００２】
現在、市販されているテレビは、デジタル放送の開始に伴い様々な機能が追加されためリモコンにもキーが追加されている。その一方で、テレビ本体には操作ボタンを設けない傾向があり、デジタル放送に対応してリモコンに追加された機能は、テレビ本体の操作ボタンからは呼び出すことが不可能なテレビも多い。
【０００３】
このようなテレビ本体やリモコンとしては、例えば図１や図９のようなものがある。図１は操作ボタンの少ないテレビ本体の一例であるとともに後述の実施形態におけるテレビジョン１００の外観であり、図９はデジタル放送に伴って多機能・多ボタン化されたリモコンの一例であるとともに後述の実施形態におけるテレビジョン１００に付属のリモコン６０である。
【０００４】
図１のテレビ本体は、天面側に操作パネルがあり、「本体設定」、「音量アップ」、「音量ダウン」、「チャンネルアップ」、「チャンネルダウン」、「入力切換」、「電源」の７つの操作ボタンしか備えていない。
【０００５】
「本体設定」を操作するとテレビ本体の各種設定を行う本体設定メニューの表示／非表示が切り換わる。「音量アップ」と「音量ダウン」は音量を上下させるものであり、本体設定メニューが表示されているときにはカーソルの左右移動に使用される。「チャンネルアップ」と「チャンネルダウン」はチャンネルを昇順又は降順に変更して選択するものであり、本体設定メニューが表示されているときはカーソルの上下移動に使用される。「入力切換」はチューナや複数の外部入力から１つの入力系統を選択して画面に表示するソースを切り換えるものであり、本体設定メニューが表示されているときはカーソルの決定として使用される。「電源」は電源の「入」と「切」を切り換える。
【０００６】
本体設定メニューは図１０のような構造である。メインメニュー図１０における操作項目は「画質調整」、「入力設定」、「高速起動」、「バックライト」となっており、画質や明るさの調整、入力ソースの判別、テレビ本体の起動速度、等の画質や電源に関わる基本的な操作項目のみで構成されており、デジタル放送に対応した様々な機能に対応する項目は入っていない。
【０００７】
一方、図９のリモコンは、このメインリモコンの他に基本機能のみを備えたシンプルリモコンが要望されるほどに、多機能・多ボタン化されている。テレビ本体からは操作不可能なリモコンからしか操作不可能な機能が割り当てられたボタンとしては、例えば以下のものがある。
・放送サービス（テレビ放送／ラジオ放送／データ放送）を切り換える「放送サービス切替」ボタン６２ａ
・文字の入力モードを切り換える「文字切換」ボタン６２ｂ
・入力した文字を削除する「文字クリア」ボタン６２ｃ
・番組ナビ画面の表示／非表示を切り換える「番組ナビ」ボタン６２ｄ
・データ放送の画面を表示する「データ」ボタン６２ｅ
・お好み選局表を表示する「お好み選局」ボタン６２ｆ
・番組内容を表示する「番組内容」ボタン６２ｇ
・見ている画面に関連した機能を表示する「便利機能」ボタン６２ｈ
・色分けされた複数のボタンで構成されて、データ放送受信中に画面上で指示が出たときに項目を選択するのに使用される「カラー」ボタン６２ｉ
・番組表を取得する「番組表」ボタン６２ｊ
・字幕の表示／非表示を切り換える「字幕」ボタン６２ｋ
・テレビのインターネットサービスを使用するための「Ｔナビ」ボタン６２ｌ
【０００８】
これらリモコンのみに割り当てられた機能（ボタン６２ａ〜６２ｌ）は、テレビ本体の操作パネルからは呼び出しが不可能である。従ってリモコンを紛失してしまうと、利用者はこれらの機能を使用することが出来なくなり、製品機能を十分に活用できない状況になってしまう。
【０００９】
このようなリモコン紛失に対応するための技術として、特許文献１、２の技術が知られている。
即ち、特許文献１では、テレビ本体の操作部に「キー選択メニュー」キーを設け、このキーが押されると画面にキー選択メニューが表示される。そして「キー選択メニュー」が押される度にリモコンの各キーの名称が順次切り替わって表示され、選択したいキーが表示された時点で選択することにより表示されたキーの機能を実行する。
また、特許文献２では、プログラムＲＯＭに予め各社のリモコンのリモコンコードを格納しておき、リモコン紛失時はこれらのリモコンキーコードの中から何れかを選択して選択したリモコンキーコードを受け付けられるようにしている。
【特許文献１】特開２００５−８６４８１号公報
【特許文献２】特開２００２−３００４２０号公報
【発明の開示】
【発明が解決しようとする課題】
【００１０】
しかしながら、上述した特許文献１の技術では、所望のキー操作を選択するためにはリモコンキーの全てを順番に表示していく操作が必要となる。即ち、上述したデジタルテレビジョン対応のリモコンに適用すると所望の操作が表示されるまでのキー操作の回数が膨大なものとなって利用者の負担が大きく、実用的ではない。また特許文献２の技術は、各社のリモコンコードを記憶するためのメモリが大量に必要となる不利益がある。また、メモリに記憶されたリモコンコードに対応するリモコンがない場合には、対応不可能である。
【００１１】
本発明は、上記課題に鑑みてなされたもので、リモコンからのみ呼び出し可能な操作項目があるデジタルテレビジョンにおいて、リモコンを紛失した場合においてもユーザの利便性を損ないにくいデジタルテレビジョンを提供する事を目的とする。
【課題を解決するための手段】
【００１２】
上記課題を解決するために、本発明のデジタルテレビジョンでは、所定の操作項目を選択する操作入力を無線信号で受け付ける無線操作入力受付手段と、所定の操作項目を選択する操作入力を有線接続された操作パネルから受け付ける有線操作入力受付手段と、を備え、受け付けた操作入力に対応する操作項目に対応付けられた処理を実行するデジタルテレビジョンにおいて、上記無線操作入力受付手段にて選択可能な操作項目には初期状態においては上記有線操作入力受付手段で選択不可能な操作項目が含まれており、各操作項目の選択時に実行される処理が記憶された記憶媒体と、上記操作パネルの操作入力で選択可能な所定の操作項目の選択時に実行される処理として、上記無線操作入力受付手段が受け付けた操作入力に対応する操作項目の処理を、上記記憶媒体に記憶させる処理記憶手段を備える構成としてある。
【００１３】
即ち、上記無線操作入力手段が所定の操作項目を選択する操作入力を無線信号で受け付け、上記処理記憶手段が上記操作パネルの操作入力で選択可能な所定の操作項目の選択時に実行される処理として、上記無線操作入力受付手段が受け付けた操作入力に対応する操作項目の処理を、上記記憶媒体に記憶させる。これにより上記有線操作入力受け付け手段が上記記憶媒体に記憶された処理を呼び出して実行可能となる。
【００１４】
また、上記操作項目は所定の階層構造で階層化されている場合は、上記処理記憶手段は、上記無線操作入力受付手段が受け付けた操作入力によって選択される操作項目が上記所定の階層構造の末端階層であるか否かを判断する階層判断手段と、上記階層判断手段が末端階層で無いと判断した時に、選択された操作項目よりも下位の階層の操作項目の一覧を画面に表示させる一覧表示手段と、を備えており、上記末端階層の操作項目を選択する操作入力を受け付けると該末端階層の操作項目に対応する処理を上記記憶媒体に記憶させる構成としてもよい。
【００１５】
即ち、上記階層判断手段が上記無線操作入力受付手段が受け付けた操作入力によって選択される操作項目が上記所定の階層構造の末端階層であるか否かを判断し、上記一覧表示手段は上記階層判断手段が末端階層で無いと判断した時に、選択された操作項目よりも下位の階層の操作項目の一覧を画面に表示させる。これによって所定の階層構造をで階層化された操作項目の一覧が画面に表示され、ユーザはこの表示された画面を視認しつつ操作項目の選択入力が行える。従って、ユーザは、所定の階層構造の下位に位置する操作項目に対応する処理を上記記憶媒体に記憶させる操作を容易に行えるようになる。
【００１６】
さらに、本発明を実現するためのより具体的な構成として、映像信号を入力し、当該映像信号に対応する映像を画面に表示する映像表示回路と、所定のフォーマットのパルスで表現した赤外線信号を受信して対応する電圧信号を生成する赤外線受光回路と、操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、操作を受け付ける複数のキーとを備えて、該複数のキーの操作により所定のフォーマットの電圧信号を画質や電源に関わる調整が可能な操作パネルと、情報を書き換え可能な半導体メモリと、上記映像信号に重畳するＯＳＤ信号を生成するＯＳＤ回路を有し、上記赤外線受光回路や上記操作パネルから上記電圧信号を入力して対応するキー操作を検知することにより上記リモコンや上記操作パネルから操作入力を受け付け、受け付けた操作入力に対応した操作項目の設定処理を実行するマイコンとを備えるデジタルテレビジョンにおいて、上記マイコンは、上記リモコンから上記操作パネルから呼び出し可能な操作項目に対してリモコンコードの登録開始を指示する操作入力を受け付けると、リモコンコードを対応付けて登録することが可能な操作項目の一覧の画面への表示を上記ＯＳＤ回路に行わせ、リモコンコードの登録先としていずれかの操作項目を選択する操作入力を上記リモコンより受け付け、受け付けた操作項目が複数の操作項目の一覧を選択可能に表示するメニューである場合は該メニューを子画面に表示し、リモコンのいずれかのキー操作を検知すると該キー操作に対応するリモコンコードを受け付けて、上記登録先とされた操作項目と受け付けたリモコンコードとを対応付けて上記半導体メモリに記憶させ、上記操作パネルで上記リモコンコードと対応付けられた操作項目を選択することにより、対応付けられたリモコンコードを実行する構成としてもよい。
【発明の効果】
【００１７】
以上説明したように本発明によれば、リモコンを紛失した場合においてもユーザの利便性を損ないにくいテレビジョンを提供することができる。
【００１８】
また請求項３にかかる発明によれば、よりユーザの利便性を向上させる事が出来る。
さらに請求項１のような、より具体的な構成において、請求項２、請求項３の各発明と同様の作用を奏することはいうまでもない。
【発明を実施するための最良の形態】
【００１９】
以下、下記の順序に従って本発明の実施形態を説明する。
（１）テレビジョンの構成：
（２）リモコンキー登録処理：
（３）リモコンキー登録処理の変形例：
（４）まとめ：
【００２０】
（１）デジタルテレビジョンの構成： 
以下、図１〜図３を参照して本発明の実施形態にかかるデジタルテレビジョンの構成を説明する。図１はデジタル放送を受信するデジタルテレビジョン１００の外観を示す斜視図、図２はデジタルテレビジョン１００の天面側に備えられる操作パネルの操作ボタンの配置を示す図、図３はデジタル放送を受信するデジタルテレビジョン１００の電気的構成を示すブロック図である。
【００２１】
なお、本実施形態ではデジタルテレビジョン１００としてデジタルテレビ放送を受信して液晶パネルに映像を表示する液晶デジタルテレビジョンを例に取り上げて説明するが、アナログ放送を受信可能であっても良いし、ＣＲＴの画面に映像を表示するＣＲＴデジタルテレビジョンやプラズマディスプレイパネルの画面に映像を表示するプラズマデジタルテレビジョン等であってもよい。
【００２２】
図１において、デジタルテレビジョン１００は、キャビネットＣと液晶モジュール１６とスタンドＳと操作パネル２６とから構成されている。キャビネットＣは前後に薄い略矩形形状であり、デジタルテレビジョン１００の略全体を覆っている。キャビネットＣの前面には略矩形の開口が形成され、内部に収容した液晶モジュール１６の表示画面を外部に露見させている。スタンドＳはデジタルテレビジョン１００の下部に固定されており、液晶モジュール１６の画面を略鉛直に配向させてデジタルテレビジョン１００を床面上に維持可能となっている。
【００２３】
デジタルテレビジョン１００の天面側には操作パネル２６が備えられ、この操作パネル２６はデジタルテレビジョン１００の操作を行うための操作ボタンを複数備えている。操作パネル２６は、例えば図２に示すように「本体設定」、「音量アップ」、「音量ダウン」、「チャンネルアップ」、「チャンネルダウン」、「入力切替」、「電源」の７つのボタンが備えられる。
【００２４】
「音量アップ」や「音量ダウン」ボタンを操作すると、デジタルテレビジョン１００の音量が上下される。「チャンネルアップ」や「チャンネルダウン」を操作すると、チャンネルの選択を行う事ができる。「入力切替」ボタンを操作すると、地上波アナログテレビ放送や地上波デジタル放送や衛星放送やラジオ放送や外部入力等の複数の入力元のうち、いずれを映像や音声の入力元するかを切り替える事ができる。「電源」ボタンを操作すると、デジタルテレビジョン１００の主電源のオン／オフが切り替わる。
【００２５】
「本体設定」ボタンを操作すると、デジタルテレビジョン１００の画質や明るさの調整、入力ソースの判別、テレビ本体の起動速度、等の画質や電源に関わる基本的な操作項目の一覧が画面に表示される。そして、「音量アップ」と「音量ダウン」をカーソルの左右移動に、「チャンネルアップ」と「チャンネルダウン」をカーソルの上下移動に、「入力切替」を操作項目の選択入力に、それぞれ使用しつつ操作項目の設定を行う事ができる。
【００２６】
即ち、操作パネル２６は、デジタルテレビジョン１００の電源、音量、画質、チャンネル操作、といったアナログ放送の受信においても利用されていた映像と音声の視聴において基本的な調整を行う操作ボタンのみを備える。逆にいえば、データ放送、インターネット、番組情報の取得、といったテレビ視聴の観点においてオプショナルな調整や操作を行うための機能は、操作パネル２６には割り当てられていない。このようなオプショナルな機能はリモコン６０の操作ボタンからしか呼び出せないようになっている。
【００２７】
図３において、デジタルテレビジョン１００は、チューナ１０と、デジタル復調回路１２と、映像信号処理部１４と、液晶モジュール１６と、音声信号処理部１８と、スピーカ２０と、マイコン２２と、半導体メモリ２４（書き換え可能な記憶媒体）と、操作パネル２６と、赤外線受光回路２８と、ＬＡＮＩ／Ｆ３０と、リモコン６０と、を備えており、互いに通信可能にＩＩＣバスで接続されている。
【００２８】
マイコン２２は、内部に、ＣＰＵ２２ａ、ＲＯＭ２２ｂ、ＲＡＭ２２ｃ、Ｉ／Ｏポート２２ｄを備えている。マイコン２２は、赤外線受光回路２８からＩ／Ｏポート２２ｄに電圧信号が入力されると、この電圧信号に対応するリモコン６０のキー操作を検知し、リモコン６０からの操作入力を受け付けてこの操作入力に対応した設定処理を実行する。このリモコン６０から送信された赤外線信号を赤外線受光回路２８を介して受信して、受信した信号に対応する処理を実行するマイコン２２が所定の操作項目を選択する操作入力を無線信号で受け付ける無線操作入力受付手段を構成する。
【００２９】
また、マイコン２２は、ＣＰＵ２２ａの制御により、操作パネル２６からＩ／Ｏポート２２ｄに入力される電圧信号を受け付け、受け付けた電圧信号に対応する操作パネル２６のキー操作を検知し、操作パネル２６からの操作入力を受け付けてこの操作入力に対応した設定処理を実行する。この操作パネル１６から入力される電圧信号に基づいて対応する処理を実行するマイコン２２が、所定の操作項目を選択する操作入力を有線接続された操作パネルから受け付ける有線操作入力受付手段を構成する。
【００３０】
また、マイコン２２にはＬＡＮＩ／Ｆ３０が接続されており、ＬＡＮＩ／Ｆ３０に接続されるインターネットと所定の通信プロトコル（ＴＣＰ／ＩＰ等）に従って通信可能になっている。このＬＡＮＩ／Ｆを通じて、マイコン２２はインターネットに接続された外部のコンピュータと通信を行い、各種情報を取得する事が出来る。
【００３１】
マイコン２２は、操作パネル２６や赤外線受光回路２８から入力される電圧信号を入出力回路２２ｅを介して受信することによって、制御処理を行う。例えば、操作パネル２６からチャンネル切替信号が入力されると、そのとき選局すべきチャンネルを認識し、選局されたチャンネルのテレビジョン放送信号を受信するための選局制御信号をチューナ１０に送信する。
【００３２】
また、設定画面を表示させる選択信号が入力されると、画像情報や文字情報に基づくＯＳＤ信号を生成し、このＯＳＤ信号を映像信号処理部１４に出力して映像信号に重畳させ、ＯＳＤ信号の重畳された映像信号を液晶モジュール１６に出力させる事によってＯＳＤ表示を行わせる。このＯＳＤ表示を視認しつつさらにユーザが操作入力を行うことにより、各種設定を行うことが出来る。
【００３３】
チューナ１０は、マイコン２２の制御によりアンテナ１０ａを介して所望周波数の放送信号を受信し、デジタル地上波テレビ放送を受信する。そして受信した放送信号から所要の信号だけを選択して高周波増幅し、中間周波信号に変換して出力する。またチューナ１０はＦＭラジオ周波数帯、デジタル衛星放送周波数帯、デジタルケーブルテレビ放送周波数帯の放送信号も受信可能であり、マイコン２２の制御に従って受信する周波数帯を切り替える事が出来る。受信した中間周波信号はデジタル復調回路に出力される。但し、ＦＭラジオ放送の受信時には音声信号処理部に直接音声出力してもよい。
【００３４】
デジタル復調回路１２は、フロントエンド１２ａとバックエンド１２ｂとから構成される。フロントエンド１２ａは、デジタルＩ／Ｆと復調部とを備える。中間周波信号が入力されるデジタルＩ／ＦはＡ／Ｄコンバータを有しており、デジタルＩ／Ｆから信号の供給を受ける復調部は、チャンネルイコライザ、エラー訂正デコード部等を有している。すなわち、デジタルＩ／Ｆと復調部は、入力される中間周波信号をデジタル信号に変換するとともに、マイコン２２からの制御情報に基づいてデジタル復調した信号に対していわゆるゴーストキャンセルを行う。さらに、デジタルＩ／Ｆと復調部は、伝送路上で発生したビット誤りを訂正し、トランスポートストリーム信号（ＴＳ信号）を得る。
【００３５】
ＴＳ信号は、バックエンド１２ｂに出力される。バックエンド１２ｂは、デスクランブル部とデマルチプレックス部とＭＰＥＧデコーダとを備えている。ＴＳ信号は、通常スクランブルがかかっているため、デスクランブル部がＴＳ信号に対してデ・スクランブル処理を行ってＴＳ信号を再生可能なデータ配列に復元する。デ・スクランブル処理が行われたＴＳ信号は、映像信号や音声信号や文字情報等が多重化されており、デマルチプレックス部に供給される。デマルチプレックス部では入力されたデータに対してデ・マルチプレックス処理を行って多重化を解除する。
【００３６】
デマルチプレックス部にて多重化が解除されると、映像信号および音声信号が所定の方式により圧縮されたＭＰＥＧデータが得られる。ＭＰＥＧデータはＭＰＥＧデコーダに供給され、ＭＰＥＧデコーダにて圧縮解凍処理、つまりＭＰＥＧデコード処理が行われる。このＭＰＥＧデコード処理により、デジタル映像信号とデジタル音声信号とが生成される。デジタル映像信号は、映像信号処理部１４に対して出力される。一方、デジタル音声信号は、所定のＤ／Ａ変換部によってアナログ音声信号に変換されるとともに、このアナログ音声信号が不図示のスピーカに出力される。
【００３７】
映像信号処理部１４は、画素数変換回路と、画質調整回路と、出力処理回路とを有しており、入力される映像信号に所定の信号処理を行って液晶モジュール１６に出力する。画素数変換回路は映像信号が入力されると、映像信号に対してスケーリング処理を行いつつ、液晶パネルに表示される１画面分のＲＧＢ信号を生成する。画質調整回路は、画素数変換回路によってスケーリング処理が施されたＲＧＢ信号に対して、ブライトネス、コントラスト、黒バランスおよび白バランス、シャープネス等の各種調整を行う。出力処理回路は、画質調整が施されたＲＧＢ信号に対して、ガンマ補正、ディザ処理等を行うとともに、背景信号、ＯＳＤ信号、ブランキング信号等を付加して液晶モジュール１６に出力し、画像を表示させる。このＯＳＤ信号を映像信号に重畳する出力処理回路がＯＳＤ回路を構成する。
【００３８】
以上、チューナ１０とデジタル復調回路１２と映像信号処理回路１４とが、映像信号を入力し、当該映像信号に対応する映像を画面に表示する映像表示回路を構成する。
【００３９】
液晶モジュール１６は、液晶パネルと液晶パネルの背面から光を照射するバックライトと液晶パネルを駆動する駆動回路とから構成される。この駆動回路が映像信号処理部１４から入力される映像信号に基づいて駆動信号を生成し、この駆動信号により液晶パネルの各画素を駆動する。
【００４０】
音声信号処理部１８はデジタル復調回路で復調された音声信号やチューナ１０から出力される音声信号を入力され、入力された音声信号に増幅を行ったりスピーカ数にあわせた音声信号の振り分けを行ったりしてスピーカ２０に出力される。
【００４１】
リモコン６０は図９のように操作を受け付ける複数のキーと、上記赤外線信号を上記赤外線受光回路に向けて送信する赤外線送信回路とを有し、同複数のキーの操作に応じた赤外線信号を所定のフォーマットのパルスで表現して送出する。例えば、リモコン６０を用いて所望のチャンネルを受信させるべく操作すると、赤外線送信部から対応する赤外線リモコン信号が送出される。そして、マイコン２２が赤外線受光回路２８を介して同赤外線リモコン信号を受信し、対応するチャンネルを受信させるように周波数データをチューナ１０に送出する。またリモコン６０は、上述の背景技術にも記載された各種キーに加えて、上下左右カーソル移動キー６１ａ，６１ｂ，６１ｃ，６１ｄ、カーソル選択キー６１ｅを備えている。
【００４２】
図１１はリモコン６０の概略構成を示すブロック図である。リモコン６０は、制御回路５２を備え、同制御回路５２に接続された操作キー５１（図では３つの操作キーを例示）は上述の背景技術にも記載された各種キー、上下左右カーソル移動キー６１ａ，６１ｂ，６１ｃ，６１ｄ、カーソル選択キー６１ｅ、にあたる。また制御回路５２には赤外線送信回路５６が接続されている。
【００４３】
赤外線送信回路５６は、図示しない赤外線発光素子を有しており、制御回路５２から出力される信号に対応した赤外線信号（無線信号）が、外部へ送信されるようになっている。制御回路５２は、ＣＰＵ５３、ＲＯＭ５４、ＲＡＭ５５等を備えている。そして、ＣＰＵ５３がＲＡＭ５５をワークエリアとして利用しながらＲＯＭ５４に記憶された所定のプログラムを実行し、リモコン６０全体の制御を行う。リモコン６０は、操作キーから操作入力を受け付け、入力された内容に対応する制御データを生成し、赤外線信号に変換して送信する。
【００４４】
（２）リモコンキー登録処理： 
本実施形態において、操作パネル２６の「本体設定」キー押し下げ時に呼び出されるメニュー項目は上述した従来技術におけるメニュー項目とほぼ同じであるが、「リモコンキーメモリ機能（以下メモリ機能と略す。）」の操作項目が追加される。この「メモリ機能」の操作項目には、初期状態ではリモコン６０から呼び出し可能な操作項目の一部を呼び出す事が出来ない。これら初期状態において呼び出し不可能（操作パネル２６から選択不可能でありリモコン６０から選択可能）なリモコンキーのキーコード（以下リモコンコードと称する。）は、本リモコンキー登録処理によって「本体設定」キー押し下げによって呼び出されるメニューに登録する事が可能となる。
【００４５】
例えば「本体設定」キーを押し下げて「メモリ機能」の操作項目にカーソルを移動させて「メモリ機能」の選択入力を行うと、図４のような画面が表示される。この画面に表示される操作項目には、リモコン６０のボタンに割り当てられたリモコンコードを登録可能である。例えば、１番にはリモコン６０の「番組内容」ボタンのリモコンコード、２番には「字幕」ボタンのリモコンコード、３番には「画面モード」ボタンのリモコンコード、のように各操作項目にリモコンコードを登録し、それぞれの操作項目を選択入力する事により登録されたリモコンコードを呼び出して実行可能となる。
【００４６】
この「メモリ機能」へのリモコンコードの登録は、例えばリモコン６０に「リモコンキーメモリ機能」のキーを設けてリモコン６０の側から行う。「リモコンキーメモリ機能」のキーが押し下げ操作されると「メモリ機能」へのリモコンコードの登録を行う画面が表示される。そしてリモコンコードを登録したい番号にカーソルを移動させて決定キーを押し、リモコン６０の登録したいキーの押し下げ操作を行う。すると押し下げ操作されたキーに対応する操作内容が表示されるので、所望のキー名が表示されたら決定キーを押してリモコンコードの登録を行う。
図５はメモリ機能にリモコンキーの登録を行うマイコン２２の処理のフローチャートである。以下、図５のフローチャートに従ってマイコン２２の処理を説明する。この処理は一定時間間隔で繰り返し実行されている。
【００４７】
処理が開始されるとステップＳ１００でリモコンキー登録処理が開始されたか否かを判断する。より具体的には、リモコン６０の「リモコンキーメモリ機能」ボタンの押し下げ操作（登録開始を指示する操作入力）に対応するリモコンコードを赤外線受光回路２８から受信したか否かを判断する。リモコンキー登録処理が開始された場合は条件成立としてステップＳ１０２に進み、リモコンキー登録処理が開始されない場合は条件不成立としてこの処理を終了する。
【００４８】
「リモコンキーメモリ機能」のリモコンコードを受光すると、マイコン２２は図４の画面に対応するＯＳＤ信号を生成し、このＯＳＤ信号を映像信号処理部１４に出力してこのＯＳＤ信号を映像信号に重畳させる。これにより液晶モジュール１６の画面に「メモリ機能」にリモコンコードを登録する画面が表示されてユーザに視認可能となる。
【００４９】
ステップＳ１０２では登録先の指定が行われたか否かを判断する。登録先の指定が行われた場合は、条件成立としてステップＳ１０４に進み、登録先の指定が行われていない場合は条件不成立としてステップＳ１１０に進む。この登録先の指定は、いずれかの操作項目にカーソルを合わせてカーソルを選択する操作入力が行われたか否かで判断すればよい。
【００５０】
より具体的には、ユーザはリモコン６０のカーソル移動キー６０ａ〜６０ｄを押し下げ操作してカーソルを移動させるキーコードを発生させる。このキーコードを受光したマイコン２２は登録先となる操作項目間でカーソルを移動させたＯＳＤ信号を生成して映像信号処理部１４に新たなＯＳＤ信号の重畳を行わせる。そしていずれか所望の操作項目にカーソルを合わせてユーザがカーソル選択キー６０ｅの押し下げ操作をすると、赤外線受光回路２８を介してこのキーコードを受信し、カーソル選択キー６０ｅ押し下げ時にカーソルが合わせて表示されていた操作項目を登録先として受け付ける。
【００５１】
ステップＳ１０４ではリモコン操作が行われたか否かを判断する。リモコン操作が行われた場合は条件成立としてステップＳ１０６に進み、リモコン操作が行われていない場合は条件不成立としてステップＳ１０４の処理を繰り返す。このリモコン操作とは、リモコン６０に備えられたいずれかの操作ボタンの押し下げ操作である。無論、操作パネル２６の操作ボタンから呼び出し可能な機能を登録する必要はないので、操作パネル２６の操作ボタンから呼び出し可能な操作項目が操作された場合は、その操作は受け付けない構成としてもよい。即ち、ボタン６２ａ〜６２ｌのボタンから呼び出される操作項目のみを登録可能としてもよい。
【００５２】
本実施形態においては、音量のアップやダウンのキー操作、チャンネルのアップやダウンもしくはチャンネル選択のキー操作、映像信号や音声信号の入力元を切り替えるキー操作、電源のオン／オフを切り替えるキー操作のキーコードを受け付けてもリモコン操作と判断しない。また「本体設定」ボタンの押し下げ操作時に表示されるメニュー画面に含まれる操作項目も、リモコン６０のキー操作から呼び出し可能であるため、これらの操作項目に対応するキー操作も、ステップＳ１０４でリモコン操作として認識されるキー操作から除外してよい。
【００５３】
ステップＳ１０６では操作の行われたリモコンのリモコンコードを受け付けて、受け付けたリモコンコードを半導体メモリ２４の所定のアドレスに記憶させる。即ち、「メモリ機能」の操作項目が選択時に実行されるキーコード用の記憶領域に、ステップＳ１０４で受け付けたリモコンコードを書き込む。無論、このとき書き込むデータは、リモコン６０から受信したキーコードそのものでなくとも、受信したキーコードと同様の処理を実行させるためのコードであればいかなるものであってもよい。
【００５４】
ステップＳ１０８では、登録先として指定された操作項目に対する登録を完了するか否かを判断する。登録を完了する場合は条件成立としてステップＳ１１０に進み、登録を完了しない場合は条件不成立としてステップＳ１０６からの処理を繰り返す。この登録を完了するか否かの判断は、例えばカーソル選択キー６０ｅの押し下げ操作が行われた時に登録完了とし、何らかのリモコン操作が行われた場合は登録が完了していないとする、等とすればよい。これにより登録が完了するまで何度でも登録したいリモコンコードを変更する事ができる。
【００５５】
ステップＳ１１０では、登録モードを終了するか否かを判断する。登録モードを終了する場合は条件成立としてこの処理を終了し、登録モードを終了しない場合は条件不成立としてステップＳ１０２からの処理を繰り返す。登録モードを終了するか否かの判断は、「リモコンキーメモリ機能」ボタンのキー操作を検知した場合に登録モードを終了するとし、カーソル移動キー６０ａ〜６０ｄやカーソル選択キー６０ｅのキー操作を検知した場合には登録モードを終了しない、等とすればよい。これにより、リモコンコードの登録を続けて行う事が出来る。
【００５６】
以上ステップＳ１００〜Ｓ１１０の処理を実行するマイコン２２が、操作パネル２６の操作入力で選択可能な所定の操作項目の選択時に実行される処理として、無線操作入力受付手段が受け付けた操作入力に対応する操作項目のリモコンコードを、半導体メモリ２４に記憶させる処理記憶手段を構成する。
【００５７】
（３）リモコンキー登録処理の変形例： 
ところで、リモコン６０のキー操作が行われると所定の階層構造を有するメニュー画面が呼び出されるようになっている場合がある。例えば本実施形態では、「番組ナビ」ボタンが押し下げ操作されると、複数の操作項目から構成されるメニュー画面が表示され、いずれかの操作項目の選択入力により選択入力された操作項目に対応するサブメニュー画面が表示されたりする。
【００５８】
図６に所定の階層構造で階層化された操作項目の一例を示す。リモコン６０の「番組ナビ」ボタンが押し下げられると、操作項目「番組ナビ」のメインメニュー画面が表示される。このメインメニュー画面には「番組を探す」、「予約する」、「メール情報」、「システム設定」、「初期設定」等の操作項目が表示される。このメインメニュー画面でいずれかの操作項目が選択されると。選択された操作項目のサブメニュー画面が表示される。例えば「番組を探す」が選択されると、「番組表で」、「今放送中から」、「ジャンル別に」、といった番組の探しかたを選択する操作項目が表示される。
【００５９】
このようにボタン押し下げ時にメニュー画面を表示する操作項目である場合は、メモリ登録を行いたい操作項目が下位の階層に存在する場合がある。従って、この下位の階層に存在する操作項目をメモリー登録するためにはメモリ登録時に、複数回のリモコン６０のキー操作を受け付けて受け付けたキー操作を全て登録する必要がある。
【００６０】
また、下位の階層の操作項目を登録するためには、階層構造を視認できなければユーザにとっては所望の操作項目の選択入力が難しい。従って、メニュー画面を表示する操作項目ではメニュー画面を表示し、ユーザが所望の操作項目を選択しやすくするとよい。
【００６１】
以下、このような階層構造を有するメニューから所望の操作項目を「メモリー機能」に対して登録を可能とするリモコンキー登録処理の変形例について図７、図８を参照して説明する。図７は、リモコンキー登録処理の変形例を行うマイコン２２の処理を示すフローチャートである。この処理は、一定時間ごとに繰り返し実行されている。また、図８は、メニュー画面を表示するボタンが押し下げされた時に表示される画面の一例である。
【００６２】
処理が開始されると、ステップＳ２００でリモコンキー登録モードが開始されたか否かを判断する。より具体的には、リモコン６０の「リモコンキーメモリー機能」ボタンの押し下げ操作に対応するリモコンコードを赤外線受光回路２８から受信したか否かを判断する。リモコンキー登録処理が開始された場合は条件成立としてステップＳ２０２に進み、リモコンキー登録処理が開始されない場合は条件不成立としてこの処理を終了する。
【００６３】
ステップＳ２０２では登録先の指定が行われたか否かを判断する。登録先の指定が行われた場合は、条件成立としてステップＳ２０４に進み、登録先の指定が行われていない場合は条件不成立としてステップＳ２１０に進む。
【００６４】
ステップＳ２０４ではリモコン操作が行われたか否かを判断する。リモコン操作が行われた場合は条件成立としてステップＳ１０６に進み、リモコン操作が行われていない場合は条件不成立としてステップＳ１０４の処理を繰り返す。
【００６５】
ステップＳ２０６ではステップＳ２０４のリモコン操作により受け付けたキーコードが、メニュー画面を表示するものであるか否かを判断する。即ち、受け付けたキーコードがメニュー画面において末端階層の操作項目であるか否かを判断する。末端階層の操作項目である場合は条件成立としてステップＳ２１２に進み、末端階層の操作項目でない場合は条件不成立としてステップＳ２０８に進む。
【００６６】
例えば、リモコン６０の操作キーにより呼び出される操作項目に末端階層の操作項目であるか否かの情報を付加しておく。つまりメニューからの選択を行うことなく設定処理を実行する（もしくは設定処理を行うための画面を表示する）操作項目には末端階層の操作項目である旨の情報を付加しておき、メニュー画面を表示してユーザに何らかの選択を促す操作項目には末端階層の操作項目である旨の情報を付加しないなどである。
【００６７】
ステップＳ２０８では、画面の一部に子画面を表示するとともに、子画面の中にメニュー画面を表示するＯＳＤ信号を生成して画面に表示させる。このメニュー画面はステップＳ２０６で受け付けたキーコードにより表示されるメニュー画面である。この子画面に表示されるメニュー画面では、カーソルが表示されており、ユーザのカーソル移動キー６０ａ〜６０ｄの操作入力に従ってカーソルを移動させ、ユーザのカーソル選択キー６０ｅの操作入力時にカーソル表示されていた操作項目が選択入力される事になる。
【００６８】
ステップＳ２１０では、子画面に表示されたメニュー画面からいずれかの操作項目が選択された否かを判断する。いずれかの操作項目が選択入力された場合は条件成立としてステップＳ２０６からの処理を繰り返し、操作項目が選択入力されていない場合は条件不成立としてステップＳ２１２に進む。ステップＳ２１０で条件成立となってステップＳ２０６に戻ると、再度、選択入力された操作項目が末端階層の操作項目であるか否かが判断され、末端階層の操作項目が入力されるまでステップＳ２０６〜Ｓ２１０の処理が繰り返される。
【００６９】
ステップＳ２０６で条件成立となってステップＳ２１２に進むと、操作の行われたリモコンのリモコンコードを受け付けて、受け付けたリモコンコードを半導体メモリ２４の所定のアドレスに記憶させる。このとき半導体メモリ２４に記憶させるキーコードは、末端階層の操作項目を実行するキーコードのみであっても良いし、ステップＳ２０６〜Ｓ２１０で選択入力された操作項目を順に実行するように配列したキーコードであってもよい。
【００７０】
ステップＳ２１４では、登録先として指定された操作項目に対する登録を完了するか否かを判断する。登録を完了する場合は条件成立としてステップＳ２１６に進み、登録を完了しない場合は条件不成立としてステップＳ２０４からの処理を繰り返す。この登録を完了するか否かの判断は、例えばカーソル選択キー６０ｅの押し下げ操作が行われた時に登録完了とし、何らかのリモコン操作が行われた場合は登録が完了していないとする、等とすればよい。これにより登録が完了するまで何度でも登録したいリモコンコードを変更する事ができる。
【００７１】
ステップＳ２１６では、登録モードを終了するか否かを判断する。登録モードを終了する場合は条件成立としてこの処理を終了し、登録モードを終了しない場合は条件不成立としてステップＳ２０２からの処理を繰り返す。登録モードを終了するか否かの判断は、「リモコンキーメモリー機能」ボタンのキー操作を検知した場合に登録モードを終了するとし、カーソル移動キー６０ａ〜６０ｄやカーソル選択キー６０ｅのキー操作を検知した場合には登録モードを終了しない、等とすればよい。これにより、リモコンコードの登録を続けて行う事が出来る。
【００７２】
以上、ステップＳ２００〜Ｓ２１６の処理を実行するマイコン２２が処理記憶手段を構成し、ステップＳ２０６の処理を実行するマイコン２２が上記無線操作入力受付手段が受け付けた操作入力によって選択される操作項目が上記所定の階層構造の末端階層であるか否かを判断する階層判断手段を構成し、ステップＳ２０８の処理を実行するマイコン２２が、上記階層判断手段が末端階層で無いと判断した時に、選択された操作項目よりも下位の階層の操作項目の一覧を画面に表示させる一覧表示手段を構成する。
【００７３】
（４）まとめ： 
つまり、リモコン６０から選択可能な操作項目には、操作パネル２６から選択不可能な操作項目が含まれており、マイコン２２はリモコン６０から受信したリモコンコードを受け付けて、受け付けたリモコンコードを操作パネル２６の操作項目に対して対応付けて半導体メモリ２４に記憶させる。これにより操作パネル２６の操作項目を選択する事により操作パネル２６から半導体メモリ１４に記憶されたリモコンコードを実行可能とする。これにより、リモコンからのみ呼び出し可能な操作項目があるテレビジョンにおいて、リモコンを紛失した場合においてもユーザの利便性を損ないにくいテレビジョンを提供可能となる。
【００７４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００７５】
【図１】デジタル放送を受信するデジタルテレビジョンの外観を示す斜視図である。
【図２】デジタルテレビジョンの天面側に備えられる操作パネルの操作ボタンの配置を示す図である。
【図３】デジタルテレビジョンの電気的構成を示すブロック図である。
【図４】メモリー機能の画面の一例である。
【図５】メモリー機能にリモコンキーの登録を行うマイコンの処理のフローチャートである。
【図６】所定の階層構造で階層化された操作項目の一例である。
【図７】リモコンキー登録処理の変形例を行うマイコンの処理を示すフローチャートである。
【図８】メニュー画面を表示するボタンが押し下げされた時に表示される画面の一例である。
【図９】デジタル放送に伴って多機能・多ボタン化されたリモコンの一例である。
【図１０】本体設定メニューの階層構造の一例である。
【図１１】リモコンの概略構成を示すブロック図である。
【符号の説明】
【００７６】
１０…チューナ、１０ａ…アンテナ、１２…デジタル復調回路、１４…映像信号処理部、１６…液晶モジュール、１８…音声信号処理部、２０…スピーカ、２２…マイコン、２２ａ…ＣＰＵ、２２ｂ…ＲＯＭ、２２ｃ…ＲＡＭ、２２ｄ…Ｉ／Ｏポート、２４…半導体メモリ、２６…操作パネル、２８…赤外線受光回路、６０…リモコン、６０ａ〜６０ｄ…カーソル移動キー、６０ｅ…カーソル選択キー、６２ａ〜６２ｌ…ボタン、１００…デジタルテレビジョン、Ｃ…キャビネット、Ｓ…スタンド
【図１】
2008182569.tif 000003
【図２】
2008182569.tif 000004
【図３】
2008182569.tif 000005
【図４】
2008182569.tif 000006
【図５】
2008182569.tif 000007
【図６】
2008182569.tif 000008
【図７】
2008182569.tif 000009
【図８】
2008182569.tif 000010
【図９】
2008182569.tif 000011
【図１０】
2008182569.tif 000012
【図１１】
2008182569.tif 000013